(57)【要約】【課題】シール性を高め、過酷な条件下であっても泥水やダスト等の異物が侵入するのを抑制することができる密封装置を提供する。【解決手段】互いに同一軸線上に配置されてスプライン同士を歯合させた大径側スプライン軸および小径側スプライン軸の間の開口部を封止する密封装置であって、大径側スプライン軸に固定される筒状の取付部と、取付部の軸方向一方の端部から径方向内方へ向けて設けられ開口部を閉塞するシール部とを一体に有する第１シール部品に対し、取付部の内周側であってシール部の軸方向他方の側に配置される第２シール部品を組み合わせる。第２シール部品は、シール部の軸方向他方の端面に接触した状態で取付部の内周面に嵌合される。第２シール部品は、その内周面にグリースを充填するための段差部を備える。【選択図】図１
2017161001.tif 000002
【特許請求の範囲】
【請求項１】
互いに同一軸線上に配置されてスプライン同士を歯合させた大径側スプライン軸および小径側スプライン軸の間の開口部を封止する密封装置であって、
前記大径側スプライン軸に固定される筒状の取付部と、前記取付部の軸方向一方の端部から径方向内方へ向けて設けられ前記開口部を閉塞するシール部とを一体に有する第１シール部品に対し、前記取付部の内周側であって前記シール部の軸方向他方の側に配置される第２シール部品を組み合わせたことを特徴とする密封装置。
【請求項２】
請求項１記載の密封装置において、
前記第２シール部品は、前記シール部の軸方向他方の端面に接触した状態で前記取付部の内周面に嵌合されることを特徴とする密封装置。
【請求項３】
請求項１または２記載の密封装置において、
前記第２シール部品は、その内周面にグリースを充填するための段差部を備えることを特徴とする密封装置。
【発明の詳細な説明】
【技術分野】
【０００１】
本発明は、シール技術に係る密封装置に関し、更に詳しくは、スプライン軸に用いられるのに適した密封装置に関する。
【背景技術】
【０００２】
従来から図４および図５に示す密封装置５１が知られており、この密封装置５１は、互いに同一軸線上に配置されてスプライン同士を歯合させた大径側スプライン軸６１および小径側スプライン軸７１の間の開口部８１を封止するために用いられる。
【０００３】
また、この密封装置５１は、大径側スプライン軸６１の軸方向一方（図４および図５（Ｂ）では右方）の端部外周に固定される筒状の取付部５２を有し、この取付部５２の軸方向一方の端部から径方向内方へ向けて、開口部８１を閉塞するシール部５３が一体に設けられている。シール部５３はリップ状とされ、その内周端部には、小径側スプライン軸７１の外周面に設けたスプラインに沿って凹凸を円周方向に多数並べた凹凸形状５４が設けられている。
【先行技術文献】
【特許文献】
【０００４】
【特許文献１】実開昭５５−７０６６１号公報
【発明の概要】
【発明が解決しようとする課題】
【０００５】
上記構成の密封装置５１は例えば、自動車関連の分野で用いられ、外部の泥水やダスト等の異物が両軸６１，７１間の隙間部に侵入しないようにシールするものであって、一般的な舗装道路など、泥水やダスト等の異物が比較的浸入しにくい状況では十分なシール作用を発揮する。しかしながら、悪路（泥道、砂利道）等の過酷な条件下ではシール性が不足し、泥水やダスト等の異物が侵入することがある。
【０００６】
本発明は以上の点に鑑みて、シール性を高め、過酷な条件下であっても泥水やダスト等の異物が侵入するのを抑制することができる密封装置を提供することを目的とする。
【課題を解決するための手段】
【０００７】
上記目的を達成するため、本発明の密封装置は、互いに同一軸線上に配置されてスプライン同士を歯合させた大径側スプライン軸および小径側スプライン軸の間の開口部を封止する密封装置であって、前記大径側スプライン軸に固定される筒状の取付部と、前記取付部の軸方向一方の端部から径方向内方へ向けて設けられ前記開口部を閉塞するシール部とを一体に有する第１シール部品に対し、前記取付部の内周側であって前記シール部の軸方向他方の側に配置される第２シール部品を組み合わせたことを特徴とする。
【０００８】
上記構成を備える本発明の密封装置では、第１シール部品がそのシール部において１次シールをなすとともに第２シール部品が２次シールをなすことにより複数段に亙るシール構造が設定されるため、泥水やダスト等の異物に対するシール性を向上させることが可能となる。
【０００９】
第２シール部品としては、第１シール部品のシール部の軸方向他方の端面に接触した状態で取付部の内周面に嵌合されるものとするのが好適であり、この構成によれば、第１シール部品および第２シール部品を予め組み付けたアッセンブリ品として取り扱うことが可能となる。
【００１０】
また、第２シール部品の内周面に段差部を設けてグリースを充填する場合には、この充填したグリースによって当該密封装置および小径側スプライン軸の間の僅少隙間を閉塞するため、シール性を一層向上させることができ、しかもこのグリースによる潤滑作用によって大径側スプライン軸および小径側スプライン軸の軸方向変位作動を円滑化することが可能となる。
【発明の効果】
【００１１】
本発明においては、第１シール部品および第２シール部品による複数段のシール構造によってシール性を高めることができ、過酷な条件下であっても泥水やダスト等の異物が侵入するのを抑制することができる。
【図面の簡単な説明】
【００１２】
【図１】本発明の実施例に係る密封装置の要部断面図
【図２】同密封装置に備えられる第２シール部品の単品図
【図３】第２シール部品の他の例を示す単品図
【図４】従来例に係る密封装置の装着状態を示す要部断面図
【図５】従来例に係る密封装置を示す図で、（Ａ）はその要部側面図、（Ｂ）はその要部断面図であって（Ａ）におけるＣ−Ｃ線断面図
【発明を実施するための形態】
【００１３】
つぎに本発明の実施例を図面にしたがって説明する。
【００１４】
図１は、本発明の実施例に係る密封装置１１を示している。当該実施例に係る密封装置１１は、互いに同一軸線上に配置されてスプライン同士を歯合させた大径側スプライン軸６１および小径側スプライン軸（図示せず）の間の開口部を封止するために用いられ、更に自動車関連の分野で用いられる。大径側スプライン軸６１はその筒状部内周面にスプライン（図示せず）を備え、小径側スプライン軸はその外周面にスプラインを備え、スプライン同士を歯合させる。密封装置はスプラインシャフト用シールとも称される。
【００１５】
また、この密封装置１１は、大径側スプライン軸６１の軸方向一方（図１では右方）の端部外周に固定（嵌合）される筒状の取付部２２を有し、この取付部２２の軸方向一方の端部から径方向内方へ向けて、開口部を閉塞するリップ状のシール部（シールリップ部とも称する）２３が一体に設けられている。シール部２３の内周端部には、小径側スプライン軸の外周面に設けたスプラインに沿って凹凸を円周方向に多数並べた凹凸形状（スプライン部とも称する）２４が設けられている。取付部２２の内周面には、大径側スプライン軸６１の外周面に設けた溝状係合部６２に係合する抜け止め用の突起状係合部２５が一体に設けられている。
【００１６】
上記取付部２２、シール部２３、凹凸形状２４および突起状係合部２５はこれらが一体に成形されることにより当該密封装置１１における第１シール部品２１とされており、この第１シール部品２１に対し第２シール部品３１が組み合わされている。
【００１７】
第２シール部品３１は、第１シール部品２１における取付部２２の内周側であってシール部２３の軸方向他方（図１では左方）の側に配置されている。また第２シール部品３１は、シール部２３の軸方向他方の端面２３ａに接触した状態で取付部２２の内周面に嵌合されており、装着時、シール部２３の軸方向他方の端面２３ａと大径側スプライン軸６１の軸方向一方の端面（先端面）６１ａとの間に挟み込まれる。
【００１８】
また、第２シール部品３１は、環状に成形され、その内周端部に、小径側スプライン軸の外周面に設けたスプラインに沿って凹凸を円周方向に多数並べた凹凸形状（スプライン部とも称する）３２が設けられている。
【００１９】
また、第２シール部品３１の内周面であって軸方向一方の側に、環状の段差部３３が設けられ、この段差部３３の内面と第１シール部品２１におけるシール部２３の軸方向他方の端面２３ａとによって囲まれる溝状の空間部４１内にグリース（図示せず）を注入・充填するように構成されている。
【００２０】
第１シール部品２１および第２シール部品３１はそれぞれ、所定の樹脂材またはゴム状弾性材によって一体に成形されており、具体的にはポリウレタンエラストマーよりなるが、そのほか、ＰＴＦＥ、ＰＡ、ＰＦＡ、ＥＴＦＥなどの熱可塑性樹脂よりなるものであっても良い。
【００２１】
また、図２に示すように各部の寸法は一例として、以下のように設定されている。
・第２シール部品３１の外径寸法φＤは、第１シール部品２１における取付部２２の内径寸法φｄ（図１）よりも大きく設定され、常時、締め代が設定されている。
・第２シール部品３１の高さ寸法（軸方向長さ）Ｈは、第１シール部品２１における突起状係合部２５およびシール部２３間の高さ寸法（軸方向長さ）ｈ（図１）に対し５０〜７０％とされている。
・段差部３３の高さ寸法（軸方向長さ）Ｈ１は、第２シール部品３１全体の高さ寸法（軸方向長さ）Ｈに対し２０〜４０％とされている。
【００２２】
上記構成を備える密封装置１１においては、第１シール部品２１がそのシール部２３において１次シールをなすとともに第２シール部品３１が２次シールをなすことにより複数段に亙るシール構造が設定されるため、外部の泥水やダスト等の異物に対するシール性を向上させることが可能とされている。
【００２３】
また、第２シール部品３１の内周面に段差部３３が設けられ、この段差部３３と第１シール部品２１のシール部２３との間に形成される空間部４１内にグリースを注入・充填するように構成されているため、この注入・充填するグリースによって当該密封装置１１および小径側スプライン軸の間の僅少隙間を閉塞することができ、これによっても外部の泥水やダスト等の異物に対するシール性を向上させることが可能とされている。
【００２４】
したがって、シール性を高め、過酷な条件下であっても泥水やダスト等の異物が侵入するのを抑制することができる。
【００２５】
また、第１シール部品２１と組み合わされる第２シール部品３１が第１シール部品２１のシール部２３の軸方向他方の端面２３ａに接触した状態で取付部２２の内周面に嵌合されるものとされているため、第１シール部品２１および第２シール部品３１はこれらを予め組み付けたアッセンブリ品として取り扱うことが可能とされている。したがって部品点数が増加しながらも両部品２１，３１の組み付け後は、両部品２１，３１を単一部品として取り扱うことができる。
【００２６】
また、上記空間部４１に注入・充填するグリースが潤滑作用を発揮するため、大径側スプライン軸６１および小径側スプライン軸の軸方向変位作動を円滑化することが可能とされている。したがって上記空間部４１に注入・充填するグリースによってシール性の向上と作動円滑性の向上とを双方共に実現することができる。
【００２７】
尚、段差部３３の断面形状については、その端面部３３ａを図３に示すようにテーパ状としても良く、この場合には、大径側スプライン軸６１および小径側スプライン軸が軸方向変位作動するときに、空間部４１内のグリースがテーパ面の傾斜に沿って両軸の摺動部へ供給されやすい。したがって上記作動円滑性を一層向上させることができる。
【符号の説明】
【００２８】
１１  密封装置
２１  第１シール部品
２２  取付部
２３  シール部
２３ａ，６１ａ  端面
２４，３２  凹凸形状
２５，６２  係合部
３１  第２シール部品
３３  段差部
３３ａ  端面部
４１  空間部
６１  大径側スプライン軸
【図１】
2017161001.tif 000003
【図２】
2017161001.tif 000004
【図３】
2017161001.tif 000005
【図４】
2017161001.tif 000006
【図５】
2017161001.tif 000007